(57)【特許請求の範囲】
【請求項１】
互いに交差するように配設された複数の走査線および複数の信号線と、前記複数の走査線および複数の信号線により区画された各小領域に二次元状に配列された複数の放射線検出素子と、
前記各走査線にオン電圧またはオフ電圧を印加する走査駆動手段と、
前記各走査線に接続され、オン電圧が印加されると前記放射線検出素子に蓄積された電荷を前記信号線に放出させるスイッチ手段と、
前記放射線検出素子から放出された前記電荷を画像データに変換して読み出す読み出し回路と、
少なくとも前記走査駆動手段および前記読み出し回路を制御して前記放射線検出素子からの前記画像データの読み出し処理を行わせる制御手段と、
外部装置と通信可能な通信手段と、
を備える放射線画像撮影装置と、
前記放射線画像撮影装置に対して放射線を照射する放射線源を備える放射線発生装置と、
前記放射線画像撮影装置から送信されてきた前記画像データに基づいて放射線画像を生成するコンソールと、
を備え、
前記放射線画像撮影装置の前記制御手段は、放射線画像撮影が終了すると、読み出された前記画像データの中から所定の割合でデータを間引いた間引きデータを前記コンソールに送信し、
前記コンソールは、前記間引きデータに基づいて表示部上にプレビュー画像を表示し、入力手段を介して当該プレビュー画像を否認する旨の操作がなされた場合には、前記放射線画像撮影装置に対して一連の処理を停止することを指示する停止信号を送信し、
前記放射線画像撮影装置の前記制御手段は、前記コンソールから前記停止信号を受信すると、その時点で行っている一連の処理を停止して、前記走査駆動手段を含む各機能部の作動状態を放射線画像撮影前の作動状態に戻すことを特徴とする放射線画像撮影システム。
【請求項２】
前記放射線画像撮影装置の前記制御手段は、
前記間引きデータの前記コンソールへの送信後、前記各放射線検出素子ごとの前記画像データに重畳されている暗電荷に起因するオフセット分をオフセットデータとして読み出すオフセットデータの読み出し処理を行い、前記オフセットデータの読み出し処理後に、残りの前記画像データおよび前記オフセットデータを前記コンソールに送信するように構成されており、
前記コンソールから前記停止信号を受信すると、その時点で前記オフセットデータの読み出し処理を行っている場合には当該オフセットデータの読み出し処理を停止し、または、前記残りの画像データおよび前記オフセットデータの送信処理を行っている場合には当該送信処理を停止して、前記走査駆動手段を含む各機能部の作動状態を放射線画像撮影前の作動状態に戻すことを特徴とする請求項１に記載の放射線画像撮影システム。
【請求項３】
前記放射線画像撮影装置の前記制御手段は、
放射線画像撮影前に、少なくとも前記走査駆動手段を制御して前記各放射線検出素子に残存する電荷を前記信号線にそれぞれ放出させる前記各放射線検出素子のリセット処理を行わせ、
前記コンソールから前記停止信号を受信すると、放射線画像撮影前の前記各放射線検出素子のリセット処理を行わせる状態に戻すことを特徴とする請求項１または請求項２に記載の放射線画像撮影システム。
【請求項４】
前記放射線画像撮影装置は、前記放射線源からの放射線の照射を許容する状態になったことを表す報知手段を備え、
前記放射線画像撮影装置の前記制御手段は、放射線画像撮影前に、所定回数の前記各放射線検出素子のリセット処理を行わせると、前記走査駆動手段から前記各走査線にオフ電圧を印加して放射線の照射により発生した電荷を前記各放射線検出素子内に蓄積させる電荷蓄積状態に移行させるとともに、前記報知手段を作動させて前記放射線源からの放射線の照射を許容する状態になったことを報知することを特徴とする請求項３に記載の放射線画像撮影システム。
【請求項５】
前記放射線画像撮影装置の前記制御手段は、
放射線画像撮影前に、前記走査駆動手段から前記各走査線にオフ電圧を印加して前記各スイッチ手段をオフ状態とした状態で前記各スイッチ手段を介して前記各放射線検出素子からリークした前記電荷をリークデータに変換するリークデータの読み出し処理と、前記走査駆動手段から前記各走査線にオン電圧を順次印加して前記各放射線検出素子に残存する電荷を前記信号線にそれぞれ放出させる前記各放射線検出素子のリセット処理とを交互に行わせ、
前記コンソールから前記停止信号を受信すると、放射線画像撮影前の前記リークデータの読み出し処理と前記各放射線検出素子のリセット処理とを交互に行わせる状態に戻すことを特徴とする請求項１または請求項２に記載の放射線画像撮影システム。
【請求項６】
前記放射線画像撮影装置の前記制御手段は、
放射線画像撮影前に、前記走査駆動手段から前記各走査線にオン電圧を順次印加して照射開始検出用の前記画像データの読み出し処理を行わせ、
前記コンソールから前記停止信号を受信すると、放射線画像撮影前の前記照射開始検出用の画像データの読み出し処理を行わせる状態に戻すことを特徴とする請求項１または請求項２に記載の放射線画像撮影システム。
【請求項７】
前記放射線画像撮影装置の前記制御手段は、読み出した前記リークデータまたは前記画像データが閾値を越えた時点で放射線の照射が開始されたことを検出すると、前記走査駆動手段から前記各走査線にオフ電圧を印加して放射線の照射により発生した電荷を前記各放射線検出素子内に蓄積させる電荷蓄積状態に移行した後、前記各放射線検出素子からの本画像としての前記画像データの読み出し処理を行わせることを特徴とする請求項５または請求項６に記載の放射線画像撮影システム。
【請求項８】
前記放射線画像撮影装置は、各機能部に電力を供給するバッテリーを内蔵していることを特徴とする請求項１から請求項７のいずれか一項に記載の放射線画像撮影システム。
【請求項９】
互いに交差するように配設された複数の走査線および複数の信号線と、前記複数の走査線および複数の信号線により区画された各小領域に二次元状に配列された複数の放射線検出素子と、
前記各走査線にオン電圧またはオフ電圧を印加する走査駆動手段と、
前記各走査線に接続され、オン電圧が印加されると前記放射線検出素子に蓄積された電荷を前記信号線に放出させるスイッチ手段と、
前記放射線検出素子から放出された前記電荷を画像データに変換して読み出す読み出し回路と、
少なくとも前記走査駆動手段および前記読み出し回路を制御して前記放射線検出素子からの前記画像データの読み出し処理を行わせる制御手段と、
外部装置と通信可能な通信手段と、
を備え、
前記制御手段は、
放射線画像撮影が終了すると、読み出された前記画像データの中から所定の割合でデータを間引いた間引きデータをコンソールに送信し、
前記コンソールから停止信号を受信すると、その時点で行っている一連の処理を停止して、前記走査駆動手段および前記読み出し回路を含む各機能部の作動状態を放射線画像撮影前の作動状態に戻すことを特徴とする放射線画像撮影装置。
【発明の詳細な説明】
【技術分野】
【０００１】
本発明は、放射線画像撮影システムおよび放射線画像撮影装置に係り、特に、画像データを取得する放射線画像撮影装置および画像データに基づいて放射線画像を生成するコンソールを備える放射線画像撮影システムに関する。
【背景技術】
【０００２】
照射されたＸ線等の放射線の線量に応じて検出素子で電荷を発生させて電気信号に変換するいわゆる直接型の放射線画像撮影装置や、照射された放射線をシンチレーター等で可視光等の他の波長の電磁波に変換した後、変換され照射された電磁波のエネルギーに応じてフォトダイオード等の光電変換素子で電荷を発生させて電気信号に変換するいわゆる間接型の放射線画像撮影装置が種々開発されている。なお、本発明では、直接型の放射線画像撮影装置における検出素子や、間接型の放射線画像撮影装置における光電変換素子を、あわせて放射線検出素子という。
【０００３】
このタイプの放射線画像撮影装置はＦＰＤ（Flat Panel Detector）として知られており、従来は支持台等と一体的に形成されていたが（例えば特許文献１参照）、近年、放射線検出素子等をハウジングに収納した可搬型の放射線画像撮影装置が開発され、実用化されている（例えば特許文献２、３参照）。
【０００４】
このような放射線画像撮影装置やそれを用いた放射線画像撮影システムでは、例えば特許文献４に記載されているように、放射線画像撮影前に、各放射線検出素子７（例えば後述する図７等参照）内に残存する電荷を放出させる各放射線検出素子７のリセット処理が行われる。
【０００５】
そして、放射線画像撮影装置に対する放射線の照射が開始されると、各走査線５にオフ電圧が印加され、薄膜トランジスター（Thin Film Transistor。以下、ＴＦＴという。）からなる各スイッチ手段８がオフ状態とされて、各放射線検出素子７内に放射線の照射により発生した電荷を蓄積される電荷蓄積状態に移行する。
【０００６】
そして、各放射線検出素子７から画像データＤを読み出した後、読み出した画像データＤの中から所定の割合でデータを間引いた間引きデータＤｔをコンソール５８（例えば後述する図１１や図１２参照）に送信し、コンソール５８の表示部５８ａ上にプレビュー画像（簡易画像）を表示する。なお、コンソール５８は、特許文献４におけるコントロールＰＣに相当する。
【０００７】
一方、放射線画像撮影装置では、間引きデータＤｔを送信すると、残りの画像データＤを送信した後、再度、各放射線検出素子７のリセット処理を行い、その後、各放射線検出素子７ごとに読み出した画像データＤに重畳されている暗電荷（暗電流ともいう。）に起因するオフセット分をオフセットデータＯとして読み出すオフセットデータＯの読み出し処理を行う。
【０００８】
そして、オフセットデータＯの読み出し処理で読み出された各オフセットデータＯをコンソール５８に送信する。そして、コンソール５８では、画像データＤやオフセットデータＯに対して画像処理を行って、最終的な放射線画像を生成する。このように放射線画像撮影装置や放射線画像撮影システムが構成される場合がある。
【先行技術文献】
【特許文献】
【０００９】
【特許文献１】特開平９−７３１４４号公報
【特許文献２】特開２００６−０５８１２４号公報
【特許文献３】特開平６−３４２０９９号公報
【特許文献４】特開２００２−３３０４２９号公報
【発明の概要】
【発明が解決しようとする課題】
【００１０】
しかしながら、放射線画像撮影システムが上記のように構成されていると、例えば、コンソール５８の表示部５８ａ上に表示されたプレビュー画像に、何らかの原因で被写体が撮影されていなかったり、被写体が画像中の適切な位置に撮影されていない等する場合がある。
【００１１】
このような場合、プレビュー画像を見た放射線技師が、再撮影が必要であると判断しても、上記のような放射線画像撮影システムでは、放射線画像撮影装置は、上記のように、残りの画像データＤの送信や、再度の各放射線検出素子７のリセット処理、オフセットデータＯの読み出し処理、オフセットデータＯの送信等を続けて自動的に行ってしまう。
【００１２】
そのため、放射線技師は、それらの一連の処理が終了するまで、再撮影を行うことができない場合があった。しかし、これでは、放射線画像撮影システムが放射線技師にとって使い勝手が悪いものとなる。
【００１３】
また、放射線画像撮影装置が各機能部に電力を供給するバッテリーを内蔵する装置である場合には、送信しても意味がない画像データＤを送信したり、必要のないオフセットデータＯの読み出し処理やオフセットデータＯの送信が行われるため、その分、バッテリーの電力が無駄に消費される。そのため、バッテリーにおける電力切れが早くなり、バッテリーに対する１回の充電あたりの撮影効率が悪化してしまうといった問題が生じる虞れがあった。
【００１４】
本発明は、上記の点を鑑みてなされたものであり、再撮影が必要となった場合に速やかに再撮影を行うことが可能な放射線画像撮影システムを提供することを目的とする。また、再撮影が必要となった場合に不必要になった処理を行わず、バッテリーの消耗を防止することが可能な放射線画像撮影装置を提供することを目的とする。
【課題を解決するための手段】
【００１５】
前記の問題を解決するために、本発明の放射線画像撮影システムおよび放射線画像撮影装置は、
互いに交差するように配設された複数の走査線および複数の信号線と、前記複数の走査線および複数の信号線により区画された各小領域に二次元状に配列された複数の放射線検出素子と、
前記各走査線にオン電圧またはオフ電圧を印加する走査駆動手段と、
前記各走査線に接続され、オン電圧が印加されると前記放射線検出素子に蓄積された電荷を前記信号線に放出させるスイッチ手段と、
前記放射線検出素子から放出された前記電荷を画像データに変換して読み出す読み出し回路と、
少なくとも前記走査駆動手段および前記読み出し回路を制御して前記放射線検出素子からの前記画像データの読み出し処理を行わせる制御手段と、
外部装置と通信可能な通信手段と、
を備える放射線画像撮影装置と、
前記放射線画像撮影装置に対して放射線を照射する放射線源を備える放射線発生装置と
、
前記放射線画像撮影装置から送信されてきた前記画像データに基づいて放射線画像を生成するコンソールと、
を備え、
前記放射線画像撮影装置の前記制御手段は、放射線画像撮影が終了すると、読み出された前記画像データの中から所定の割合でデータを間引いた間引きデータを前記コンソールに送信し、
前記コンソールは、前記間引きデータに基づいて表示部上にプレビュー画像を表示し、入力手段を介して当該プレビュー画像を否認する旨の操作がなされた場合には、前記放射線画像撮影装置に対して一連の処理を停止することを指示する停止信号を送信し、
前記放射線画像撮影装置の前記制御手段は、前記コンソールから前記停止信号を受信すると、その時点で行っている一連の処理を停止して、前記走査駆動手段を含む各機能部の作動状態を放射線画像撮影前の作動状態に戻すことを特徴とする。
【発明の効果】
【００１６】
本発明のような方式の放射線画像撮影システムおよび放射線画像撮影装置によれば、放射線技師によりプレビュー画像を否認する旨の操作が行われた場合には、停止信号がコンソールから放射線画像撮影装置に即座に送信される。そして、放射線画像撮影装置の制御手段は、停止信号を受信すると、その時点で行っている一連の処理を即座に停止して、走査駆動手段１５を含む各機能部の作動状態を放射線画像撮影前の作動状態に戻す。
【００１７】
このように、放射線技師がプレビュー画像を否認すると放射線画像撮影装置が速やかに放射線画像撮影前の作動状態に戻り、放射線の照射を許容できる状態になるため、プレビュー画像を否認した放射線技師は、速やかに放射線を照射させて再撮影を行うことが可能となる。そのため、放射線画像撮影システムが放射線技師にとって使い勝手が良いものとなる。
【００１８】
また、放射線画像撮影装置がバッテリーを内蔵する装置である場合、不必要なオフセットデータＯの読み出し処理を行ったり、送信しても意味がない画像データＤやオフセットデータＯを送信する等の不必要な処理を行うことがなくなるため、バッテリーの電力が無駄に消費されることを的確に防止することが可能となる。
【００１９】
そのため、バッテリーの消耗が的確に防止され、バッテリーにおける電力切れを遅延させることが可能となる。そして、その分、バッテリーに対する１回の充電あたりの撮影効率を向上させることが可能となる。
【図面の簡単な説明】
【００２０】
【図１】本実施形態に係る放射線画像撮影装置の外観を示す斜視図である。
【図２】図１におけるＸ−Ｘ線に沿う断面図である。
【図３】ケーブルを接続した状態の放射線画像撮影装置の外観を示す斜視図である。
【図４】放射線画像撮影装置の基板の構成を示す平面図である。
【図５】図４の基板上の小領域に形成された放射線検出素子とＴＦＴ等の構成を示す拡大図である。
【図６】フレキシブル回路基板やＰＣＢ基板等が取り付けられた基板を説明する側面図である。
【図７】放射線画像撮影装置の等価回路を表すブロック図である。
【図８】検出部を構成する１画素分についての等価回路を表すブロック図である。
【図９】各放射線検出素子のリセット処理における電荷リセット用スイッチやＴＦＴのオン／オフのタイミングを表すタイミングチャートである。
【図１０】画像データの読み出し処理における電荷リセット用スイッチ、パルス信号、ＴＦＴのオン／オフのタイミングを表すタイミングチャートである。
【図１１】撮影室等に構築された本実施形態に係る放射線画像撮影システムの構成例を示す図である。
【図１２】回診車上に構築された本実施形態に係る放射線画像撮影システムの構成例を示す図である。
【図１３】１面分のリセット処理におけるタイミングチャートである。
【図１４】連携方式における照射開始信号の送信、リセット処理の終了および電荷蓄積状態への移行、インターロック解除信号の送信、および放射線の照射のタイミングを表すタイミングチャートである。
【図１５】連携方式における各走査線にオン電圧を順次印加するタイミングを表すタイミングチャートである。
【図１６】ＴＦＴを介して各放射線検出素子からリークした各電荷がリークデータとして読み出されることを説明する図である。
【図１７】リークデータの読み出し処理における電荷リセット用スイッチやＴＦＴのオン／オフのタイミングを表すタイミングチャートである。
【図１８】放射線画像撮影前にリークデータの読み出し処理と各放射線検出素子のリセット処理を交互に行うように構成した場合の電荷リセット用スイッチ、パルス信号、ＴＦＴのオン／オフのタイミングを表すタイミングチャートである。
【図１９】検出手法１において各走査線にオン電圧を印加するタイミング等を説明するタイミングチャートである。
【図２０】読み出されるリークデータを時系列的にプロットしたグラフである。
【図２１】検出手法２において照射開始検出用の画像データの読み出し処理が繰り返し行われる際の各走査線にオン電圧を順次印加するタイミングを表すタイミングチャートである。
【図２２】照射開始検出用の画像データの読み出し処理における電荷リセット用スイッチ、パルス信号、ＴＦＴのオン／オフのタイミングおよびオン時間ΔＴを表すタイミングチャートである。
【図２３】検出手法２において各走査線にオン電圧を印加するタイミング等を説明するタイミングチャートである。
【図２４】プレビュー画像が承認された場合の放射線画像撮影装置およびコンソールにおける一連の処理の流れを示す図である。
【図２５】画像データの中から間引きデータを抽出する仕方の一例を説明する図である。
【図２６】画像データの読み出し処理までの一連の処理シーケンスが繰り返されてオフセットデータの読み出し処理が行われることを説明するタイミングチャートである。
【図２７】プレビュー画像が否認された場合の放射線画像撮影装置およびコンソールにおける一連の処理の流れを示す図である。
【発明を実施するための形態】
【００２１】
以下、本発明に係る放射線画像撮影システムおよび放射線画像撮影装置の実施の形態について、図面を参照して説明する。
【００２２】
なお、以下では、放射線画像撮影装置として、シンチレーター等を備え、放射された放射線を可視光等の他の波長の電磁波に変換して電気信号を得るいわゆる間接型の放射線画像撮影装置について説明するが、本発明は、シンチレーター等を介さずに放射線を放射線検出素子で直接検出する、いわゆる直接型の放射線画像撮影装置に対しても適用することができる。
【００２３】
また、本発明は、以下の実施形態で説明する、センサーパネルＳＰがハウジング２内に収納されたいわゆる可搬型の放射線画像撮影装置のみならず、例えば支持台等と一体的に
形成された専用機型の放射線画像撮影装置に対しても適用することが可能である。
【００２４】
［放射線画像撮影装置］
図１は、本実施形態に係る放射線画像撮影装置の外観を示す斜視図であり、図２は、図１のＸ−Ｘ線に沿う断面図である。本実施形態では、放射線画像撮影装置１は、図１や図２に示すように、筐体状のハウジング２内にシンチレーター３や基板４等で構成されるセンサーパネルＳＰが収納されている。
【００２５】
本実施形態では、筐体２のうち、放射線入射面Ｒを有する中空の角筒状のハウジング本体部２Ａは、放射線を透過するカーボン板やプラスチック等の材料で形成されており、ハウジング本体部２Ａの両側の開口部を蓋部材２Ｂ、２Ｃで閉塞することで筐体２が形成されている。
【００２６】
また、筐体２の一方側の蓋部材２Ｂには、電源スイッチ３７や切替スイッチ３８、コネクター３９、バッテリー状態や放射線画像撮影装置１の稼働状態等を表示するＬＥＤ等で構成されたインジケーター４０等が配置されている。
【００２７】
図３に示すように、本実施形態では、コネクター３９には、ケーブルＣａの先端に設けられたコネクターＣが接続できるようになっている。そして、ケーブルＣａと接続されることにより、例えば後述するコンソール５８（図１１や図１２参照）との間で信号等を送受信したり、コンソール５８に画像データＤ等を送信することができるようになっている。
【００２８】
また、図示を省略するが、例えば筐体２の反対側の蓋部材２Ｃ等に、アンテナ装置４１（後述する図７参照）が例えば蓋部材２Ｃに埋め込む等して設けられている。このように、本実施形態では、コネクター３９やアンテナ装置４１が、放射線画像撮影装置１とコンソール５８等との間で信号を送受信し、コンソール５８に画像データＤ等を送信するための通信手段として機能するようになっている。
【００２９】
図２に示すように、筐体２の内部には、基台３１の上面側に図示しない鉛の薄板等を介して基板４が配置され、また、基台３１の下面側には、電子部品３２等が配設されたＰＣＢ基板３３やバッテリー２４等が取り付けられている。また、基板４やシンチレーター３の放射線入射面Ｒには、それらを保護するためのガラス基板３４が配設されている。また、本実施形態では、基台３１や基板４等と筐体２の側面との間に、それらがぶつかり合うことを防止するための緩衝材３５が設けられている。
【００３０】
シンチレーター３は、基板４の後述する検出部Ｐに対向する位置に設けられるようになっている。本実施形態では、シンチレーター３は、例えば、蛍光体を主成分とし、放射線の入射を受けると３００〜８００ｎｍの波長の電磁波、すなわち可視光を中心とした電磁波に変換して出力するものが用いられる。
【００３１】
基板４は、本実施形態では、ガラス基板で構成されており、図４に示すように、基板４のシンチレーター３に対向する側の面４ａ上には、複数の走査線５と複数の信号線６とが互いに交差するように配設されている。基板４の面４ａ上の複数の走査線５と複数の信号線６により区画された各小領域ｒには、放射線検出素子７がそれぞれ設けられている。
【００３２】
このように、走査線５と信号線６で区画された各小領域ｒに二次元状に配列された複数の放射線検出素子７が設けられた小領域ｒ全体、すなわち図４に一点鎖線で示される領域が検出部Ｐとされている。
【００３３】
本実施形態では、放射線検出素子７としてフォトダイオードが用いられているが、この他にも例えばフォトトランジスター等を用いることも可能である。各放射線検出素子７は、図４の拡大図である図５に示すように、スイッチ手段であるＴＦＴ８のソース電極８ｓに接続されている。また、ＴＦＴ８のドレイン電極８ｄは信号線６に接続されている。
【００３４】
放射線検出素子７は、放射線画像撮影装置１の筐体２の放射線入射面Ｒから放射線が入射し、シンチレーター３で放射線から変換された可視光等の電磁波が照射されると、その内部で電子正孔対を発生させる。放射線検出素子７は、このようにして、照射された放射線（本実施形態ではシンチレーター３で放射線から変換された電磁波）を電荷に変換するようになっている。
【００３５】
そして、ＴＦＴ８は、後述する走査駆動手段１５から走査線５を介してゲート電極８ｇにオン電圧が印加されるとオン状態となり、ソース電極８ｓやドレイン電極８ｄを介して放射線検出素子７内に蓄積されている電荷を信号線６に放出させるようになっている。また、ＴＦＴ８は、接続された走査線５を介してゲート電極８ｇにオフ電圧が印加されるとオフ状態となり、放射線検出素子７から信号線６への電荷の放出を停止して、放射線検出素子７内に電荷を蓄積させるようになっている。
【００３６】
本実施形態では、図５に示すように、それぞれ列状に配置された複数の放射線検出素子７に１本のバイアス線９が接続されており、図４に示すように、各バイアス線９はそれぞれ信号線６に平行に配設されている。また、各バイアス線９は、基板４の検出部Ｐの外側の位置で結線１０に結束されている。
【００３７】
本実施形態では、図４に示すように、各走査線５や各信号線６、バイアス線９の結線１０は、それぞれ基板４の端縁部付近に設けられた入出力端子（パッドともいう。）１１に接続されている。
【００３８】
そして、各入出力端子１１には、図６に示すように、後述する走査駆動手段１５のゲートドライバー１５ｂを構成するゲートＩＣ１５ｃ等のチップがフィルム上に組み込まれたフレキシブル回路基板（Chip On Film等ともいう。）１２が異方性導電接着フィルム（Anisotropic Conductive Film）や異方性導電ペースト（Anisotropic Conductive Paste）等の異方性導電性接着材料１３を介して接続されている。
【００３９】
フレキシブル回路基板１２は、基板４の裏面４ｂ側に引き回され、裏面４ｂ側で前述したＰＣＢ基板３３に接続されるようになっている。このようにして、放射線画像撮影装置１のセンサーパネルＳＰが形成されている。なお、図６では、電子部品３２等の図示が省略されている。
【００４０】
ここで、放射線画像撮影装置１の回路構成について説明する。図７は本実施形態に係る放射線画像撮影装置１の等価回路を表すブロック図であり、図８は検出部Ｐを構成する１画素分についての等価回路を表すブロック図である。
【００４１】
前述したように、基板４の検出部Ｐの各放射線検出素子７は、その第２電極７ｂにそれぞれバイアス線９が接続されており、各バイアス線９は結線１０に結束されてバイアス電源１４に接続されている。バイアス電源１４は、結線１０および各バイアス線９を介して各放射線検出素子７の第２電極７ｂにそれぞれバイアス電圧を印加するようになっている。また、バイアス電源１４は、後述する制御手段２２に接続されており、制御手段２２により、バイアス電源１４から各放射線検出素子７に印加するバイアス電圧が制御されるようになっている。
【００４２】
図７や図８に示すように、本実施形態では、バイアス電源１４からは、放射線検出素子７の第２電極７ｂにバイアス線９を介してバイアス電圧として放射線検出素子７の第１電極７ａ側にかかる電圧以下の電圧（すなわちいわゆる逆バイアス電圧）が印加されるようになっている。
【００４３】
走査駆動手段１５は、配線１５ｄを介してゲートドライバー１５ｂにオン電圧とオフ電圧を供給する電源回路１５ａと、走査線５の各ラインＬ１〜Ｌｘに印加する電圧をオン電圧とオフ電圧の間で切り替えて各ＴＦＴ８のオン状態とオフ状態とを切り替えるゲートドライバー１５ｂとを備えている。
【００４４】
図７や図８に示すように、各信号線６は、読み出しＩＣ１６内に内蔵された各読み出し回路１７にそれぞれ接続されている。読み出し回路１７は、増幅回路１８と相関二重サンプリング回路１９等で構成されている。読み出しＩＣ１６内には、さらに、アナログマルチプレクサー２１と、Ａ／Ｄ変換器２０とが設けられている。なお、図７や図８中では、相関二重サンプリング回路１９はＣＤＳと表記されている。また、図８中では、アナログマルチプレクサー２１は省略されている。
【００４５】
本実施形態では、増幅回路１８は、オペアンプ１８ａと、オペアンプ１８ａにそれぞれ並列にコンデンサー１８ｂおよび電荷リセット用スイッチ１８ｃが接続され、オペアンプ１８ａ等に電力を供給する電源供給部１８ｄを備えたチャージアンプ回路で構成されている。増幅回路１８のオペアンプ１８ａの入力側の反転入力端子には信号線６が接続されており、増幅回路１８の入力側の非反転入力端子には基準電位Ｖ０が印加されるようになっている。なお、基準電位Ｖ０は適宜の値に設定され、本実施形態では、例えば０［Ｖ］が印加されるようになっている。
【００４６】
また、増幅回路１８の電荷リセット用スイッチ１８ｃは、制御手段２２に接続されており、制御手段２２によりオン／オフが制御されるようになっている。また、オペアンプ１８ａと相関二重サンプリング回路１９との間には、電荷リセット用スイッチ１８ｃと連動して開閉するスイッチ１８ｅが設けられており、スイッチ１８ｅは、電荷リセット用スイッチ１８ｃがオン／オフ動作と連動してオフ／オン動作するようになっている。
【００４７】
放射線画像撮影装置１で、各放射線検出素子７内に残存する電荷を除去するための各放射線検出素子７のリセット処理を行う際には、図９に示すように、電荷リセット用スイッチ１８ｃがオン状態（およびスイッチ１８ｅがオフ状態）とされた状態で、各ＴＦＴ８がオン状態とされる。
【００４８】
すると、各ＴＦＴ８を介して各放射線検出素子７から電荷が信号線６に放出され、電荷が増幅回路１８の電荷リセット用スイッチ１８ｃを通過して、オペアンプ１８ａの出力端子側からオペアンプ１８ａ内を通り、非反転入力端子から出てアースされたり、電源供給部１８ｄに流れ出す。このようにして、各放射線検出素子７のリセット処理が行われるようになっている。
【００４９】
一方、各放射線検出素子７からの画像データＤの読み出し処理や、後述する照射開始検出用の画像データｄの読み出し処理の際には、図１０に示すように、増幅回路１８の電荷リセット用スイッチ１８ｃがオフ状態（およびスイッチ１８ｅがオン状態）とされた状態で、オン状態とされた各ＴＦＴ８を介して各放射線検出素子７から電荷が信号線６に放出されると、電荷が増幅回路１８のコンデンサー１８ｂに蓄積される。
【００５０】
増幅回路１８では、コンデンサー１８ｂに蓄積された電荷量に応じた電圧値がオペアンプ１８ａの出力側から出力されるようになっている。相関二重サンプリング回路（ＣＤＳ
）１９は、各放射線検出素子７から電荷が流出する前に制御手段２２からパルス信号Ｓｐ１（図１０参照）が送信されると、その時点で増幅回路１８から出力されている電圧値Ｖinを保持する。
【００５１】
そして、各放射線検出素子７から流出した電荷が増幅回路１８のコンデンサー１８ｂに蓄積された後、制御手段２２からパルス信号Ｓｐ２が送信されると、その時点で増幅回路１８から出力されている電圧値Ｖfiを保持する。そして、電圧値の差分Ｖfi−Ｖinを算出し、算出した差分Ｖfi−Ｖinをアナログ値の画像データＤとして下流側に出力する。
【００５２】
相関二重サンプリング回路１９から出力された各放射線検出素子７の画像データＤは、アナログマルチプレクサー２１を介して順次Ａ／Ｄ変換器２０に送信され、Ａ／Ｄ変換器２０で順次デジタル値の画像データＤに変換されて記憶手段２３に出力されて順次保存されるようになっている。
【００５３】
制御手段２２は、図示しないＣＰＵ（Central Processing Unit）やＲＯＭ（Read Only
Memory）、ＲＡＭ（Random Access Memory）、入出力インターフェース等がバスに接続されたコンピューターや、ＦＰＧＡ（Field Programmable Gate Array）等により構成されている。専用の制御回路で構成されていてもよい。
【００５４】
そして、制御手段２２は、放射線画像撮影装置１の各部材の動作等を制御するようになっている。また、図７等に示すように、制御手段２２には、ＳＲＡＭ（Static ＲＡＭ）やＳＤＲＡＭ（Synchronous ＤＲＡＭ）等で構成される記憶手段２３が接続されている。
【００５５】
また、本実施形態では、制御手段２２には、前述したアンテナ装置４１が接続されており、さらに、検出部Ｐや走査駆動手段１５、読み出し回路１７、記憶手段２３、バイアス電源１４等の各部材に電力を供給するためのバッテリー２４が接続されている。また、バッテリー２４は、前述したコネクター３９に接続されており、バッテリー２４の充電の際にはコネクター３９を介して図示しない充電装置から電力が供給されるようになっている。
【００５６】
前述したように、制御手段２２は、バイアス電源１４を制御してバイアス電源１４から各放射線検出素子７に印加するバイアス電圧を設定したり可変させたりするなど、放射線画像撮影装置１の各機能部の動作を制御するようになっている。
【００５７】
［放射線画像撮影システム］
次に、本実施形態に係る放射線画像撮影システム５０について説明する。図１１は、本実施形態に係る放射線画像撮影システム５０の構成例を示す図である。図１１では、放射線画像撮影システム５０が撮影室Ｒ１内等に構築されている場合が示されている。
【００５８】
撮影室Ｒ１には、ブッキー装置５１が設置されており、ブッキー装置５１は、そのカセッテ保持部（カセッテホルダともいう。）５１ａに上記の放射線画像撮影装置１を装填して用いることができるようになっている。なお、図１１では、ブッキー装置５１として、立位撮影用のブッキー装置５１Ａと臥位撮影用のブッキー装置５１Ｂが設置されている場合が示されているが、例えば、立位撮影用のブッキー装置５１Ａのみ、或いは、臥位撮影用のブッキー装置５１Ｂのみが設けられていてもよい。
【００５９】
本実施形態では、図３に示したように、放射線画像撮影装置１のコネクター３９と、ケーブルＣａの先端に設けられたコネクターＣとが接続された状態で、放射線画像撮影装置１をブッキー装置５１に装填することができるようになっている。なお、ブッキー装置５１のカセッテ保持部５１ａ内にコネクターＣを設けておき、放射線画像撮影装置１が装填
されると自動的にコネクター３９とコネクターＣとが接続されるように構成することも可能であり、適宜に構成される。
【００６０】
図１１に示すように、撮影室Ｒ１には、被写体を介してブッキー装置５１に装填された放射線画像撮影装置１に放射線を照射する放射線源５２Ａが少なくとも１つ設けられている。本実施形態では、放射線源５２Ａの位置を移動させたり、放射線の照射方向を変えることで、立位撮影用のブッキー装置５１Ａと臥位撮影用のブッキー装置５１Ｂのいずれにも放射線を照射することができるようになっている。
【００６１】
撮影室Ｒ１には、撮影室Ｒ１内の各装置等や撮影室Ｒ１外の各装置等の間の通信等を中継するための中継器（基地局等ともいう。）５４が設けられている。なお、本実施形態では、中継器５４には、放射線画像撮影装置１が無線方式で画像データＤや信号等の送受信を行うことができるように、無線アンテナ（アクセスポイントともいう。）５３が設けられている。
【００６２】
また、中継器５４は、放射線発生装置５５やコンソール５８と接続されており、中継器５４には、放射線画像撮影装置１やコンソール５８等から放射線発生装置５５に送信するＬＡＮ（Local Area Network）通信用の信号等を放射線発生装置５５用の信号等に変換し、また、その逆の変換も行う図示しない変換器が内蔵されている。
【００６３】
前室（操作室ともいう。）Ｒ２には、本実施形態では、放射線発生装置５５の操作卓５７が設けられており、操作卓５７には、放射線技師等の操作者が操作して放射線発生装置５５に対して放射線の照射開始等を指示するための曝射スイッチ５６が設けられている。
【００６４】
放射線発生装置５５は、放射線源５２を所定の位置に移動させたり、その放射方向を調整したり、放射線画像撮影装置１の所定の領域内に放射線が照射されるように図示しない絞りやコリメーター等を調整したり、或いは、適切な線量の放射線が照射されるように放射線源５２を調整する等の種々の制御を行うようになっている。
【００６５】
また、本実施形態では、放射線発生装置５５は、設定された撮影条件に応じて、放射線の照射開始から設定された時間が経過した時点で、放射線源５２からの放射線の照射を終了させるようになっている。
【００６６】
図１１に示すように、本実施形態では、コンピューター等で構成されたコンソール５８が前室Ｒ２に設けられている。なお、コンソール５８を撮影室Ｒ１や前室Ｒ２の外側や別室等に設けるように構成することも可能であり、コンソール５８の設置場所は適宜決められる。
【００６７】
また、コンソール５８には、ＣＲＴ（Cathode Ray Tube）やＬＣＤ（Liquid Crystal Display）等を備えて構成される表示部５８ａが設けられており、また、図示しないマウスやキーボード等の入力手段を備えている。なお、表示部５８をタッチパネル等で構成し、放射線技師が表示部５８ａにタッチすることで指示等を入力するように構成することも可能である。また、コンソール５８には、ＨＤＤ（Hard  Disk Drive）等で構成された記憶手段５９が接続され、或いは内蔵されている。
【００６８】
本実施形態では、コンソール５８は、後述するように、放射線画像撮影装置１から間引きデータＤｔが送信されてくると、それに基づいて表示部５８ａ上にプレビュー画像ｐ_preを表示するようになっている。
【００６９】
また、コンソール５８は、後述するように、放射線画像撮影装置１から画像データＤ等
が送信されてくると、画像データＤ等に基づいて放射線画像ｐを生成するようになっている。
【００７０】
一方、放射線画像撮影装置１は、図１２に示すように、ブッキー装置５１には装填されずに、いわば単独の状態で用いることもできるようになっている。例えば、患者Ｈが病室Ｒ３のベッドＢから起き上がれず、撮影室Ｒ１に行くことができないような場合、図１２に示すように、放射線画像撮影装置１を病室Ｒ３内に持ち込み、ベッドＢと患者の身体との間に差し込んだり患者の身体にあてがったりして用いることができる。
【００７１】
放射線画像撮影装置１をこのようにして用いる場合、例えば図３に示したように、放射線画像撮影装置１のコネクター３９にケーブルＣを接続して用いると、ケーブルＣが放射線技師の作業の邪魔になる場合が多いため、本実施形態では、放射線画像撮影装置１を単独の状態で用いる場合には、コネクター３９にケーブルＣを接続せずに使用される。
【００７２】
また、放射線画像撮影装置１を病室Ｒ３等で用いる場合、前述した撮影室Ｒ１に据え付けられた放射線発生装置５５や放射線源５２Ａを病室Ｒ３に持ち込むことができないため、図１２に示すように、いわゆるポータブルの放射線発生装置５５が例えば回診車７１に搭載される等して病室Ｒ３に持ち込まれる。
【００７３】
この場合、ポータブルの放射線発生装置５５の放射線５２Ｐは、任意の方向に放射線を照射できるように構成される。そして、ベッドＢと患者の身体との間に差し込まれたり患者の身体にあてがわれたりした放射線画像撮影装置１に対して、適切な距離や方向から放射線を照射することができるようになっている。
【００７４】
なお、図１１に示したように、放射線画像撮影装置１を、撮影室Ｒ１の臥位撮影用のブッキー装置５１Ｂ上に横臥した患者の身体と臥位撮影用のブッキー装置５１Ｂとの間に差し込んだり、臥位撮影用のブッキー装置５１Ｂ上で患者の身体にあてがったりして用いることも可能であり、その場合は、ポータブルの放射線５２Ｐや、撮影室Ｒ１に据え付けられた放射線源５２Ａのいずれを用いることも可能である。
【００７５】
また、図１２に示した回診車７１上に構築された放射線画像撮影システム５０の場合、コンソール５８では、後述する表示部５８ａ上でのプレビュー画像ｐ_preの表示処理までを行い、最終的な放射線画像ｐの生成等については、当該コンソール５８で受信、保存した画像データＤ等を、生成処理機能を有する別のコンソールに転送して当該別のコンソールで行うように構成することも可能である。
【００７６】
［放射線画像撮影装置における画像データＤの読み出し処理までの処理について］
ここで、放射線画像撮影システム５０において、放射線画像撮影装置１に対して放射線が照射され、各放射線検出素子７からそれぞれ画像データＤが読み出されるまでの放射線画像撮影装置１や放射線発生装置５０等における処理について説明する。
【００７７】
［連携方式について］
図１１に示したように、放射線画像撮影システム５０が撮影室Ｒ１内等に構築されているような場合には、放射線画像撮影装置１と放射線発生装置５５とが中継器５４やコンソール５８を介して信号のやり取りを行い、放射線画像撮影装置１と放射線発生装置５５と連携をとりながら放射線画像撮影を行うことができる。以下、このような撮影方式を連携方式という。
【００７８】
［連携方式の場合の処理について］
本実施形態では、放射線画像撮影が連携方式で行われる場合、放射線画像撮影装置１の
制御手段２２は、放射線画像撮影前に、まず、各放射線検出素子７のリセット処理を行うようになっている。各放射線検出素子７のリセット処理では、図９に示した処理が走査線５の各ラインＬ１〜Ｌｘについてそれぞれ行われる。
【００７９】
具体的には、放射線画像撮影装置１の制御手段２２は、例えば図１３に示すように、走査駆動手段１５のゲートドライバー１５ｂ（図７参照）から走査線５の各ラインＬ１〜Ｌｘに対してオン電圧を順次印加させ、各ＴＦＴ８のゲート電極８ｇにオン電圧を順次印加させてＴＦＴ８をオン状態として、各放射線検出素子７内に残存する電荷をそれぞれ信号線６に放出させる。
【００８０】
制御手段２２は、このようにして、走査線５の最初のラインＬ１から最終ラインＬｘまで順次オン電圧を印加して行う１面分のリセット処理Ｒｍを繰り返すようになっている。
【００８１】
そして、例えば図１４に示すように、１面分のリセット処理Ｒｍの最中に、放射線技師により放射線発生装置５５で曝射スイッチ５６（図１１や図１２参照）が操作されて、放射線発生装置５５から放射線画像撮影装置１に照射開始信号が送信されてくると、放射線画像撮影装置１の制御手段２２は、照射開始信号が送信されてきた時点で行っている１面分のリセット処理Ｒｍが完了した時点で、各放射線検出素子７のリセット処理を終了させる。
【００８２】
そして、走査駆動手段１５から走査線５の全てのラインＬ１〜Ｌｘにオフ電圧を印加させて全ＴＦＴ８をオフ状態として、放射線の照射により各放射線検出素子７内で発生した電荷を各放射線検出素子７内に蓄積させる電荷蓄積状態に移行させる。
【００８３】
制御手段２２は、それと同時に、上記のように１面分のリセット処理Ｒｍが完了した時点で、放射線発生装置５５に対してインターロック解除信号を送信する。放射線発生装置５５は、中継器５４を介して放射線画像撮影装置１からインターロック解除信号を受信すると、放射線源５２から放射線を照射させる。
【００８４】
連携方式では、放射線画像撮影装置１と放射線発生装置５５との間で照射開始信号やインターロック解除信号等のやり取りを行いながら、放射線画像撮影装置１に対して放射線が照射されるようになっている。
【００８５】
また、放射線画像撮影装置１の制御手段２２は、上記のようにインターロック解除信号を送信すると、所定時間の間、電荷蓄積状態を維持する。そして、所定時間が経過した後、図１５に示すように、走査線５の各ラインＬ１〜Ｌｘにオン電圧を順次印加して、各放射線検出素子７から画像データＤをそれぞれ読み出すようになっている。なお、図１５中の斜線は、その期間に放射線が照射されたことを表す。
【００８６】
なお、この場合、放射線源５２からの放射線の照射を終了した時点で、放射線発生装置５５から放射線画像撮影装置１に終了信号を送信するように構成し、放射線画像撮影装置１は、終了信号を受信するとすぐに電荷蓄積状態から画像データＤの読み出し処理に移行するように構成することも可能である。
【００８７】
［非連携方式について］
また、図１２に示したように、放射線画像撮影システム５０が回診車７１上に構築されている場合のように、放射線画像撮影装置１と放射線発生装置５５とが信号のやり取りを行うことができないような場合もある。以下、このように、放射線画像撮影装置１と放射線発生装置５５との間で信号のやり取りを行わずに撮影を行う撮影方式を非連携方式という。
【００８８】
なお、本実施形態では、放射線画像撮影装置１は、状況に応じて、連携方式と非連携方式のいずれの方式でも放射線画像撮影を行うことができるようになっているが、連携方式或いは非連携方式のいずれかの方式でしか放射線画像撮影を行うことができない放射線画像撮影装置についても、本発明を適用することが可能である。
【００８９】
［非連携方式の場合の処理について］
本実施形態では、放射線画像撮影装置１は、この非連携方式では、放射線画像撮影装置１自体で放射線が照射されたことを検出するようになっている。以下、放射線画像撮影装置１自体で放射線の照射開始を検出する方法として、２つの検出手法を例に挙げて説明する。
【００９０】
［検出手法１］
例えば、放射線画像撮影前すなわち放射線画像撮影装置１に放射線が照射される前に、リークデータｄleakの読み出し処理を繰り返し行うように構成することも可能である。ここで、リークデータｄleakとは、図１６に示すように、各走査線５にオフ電圧を印加した状態で、オフ状態になっている各ＴＦＴ８を介して各放射線検出素子７からリークする電荷ｑの信号線６ごとの合計値に相当するデータである。
【００９１】
そして、リークデータｄleakの読み出し処理では、図１０に示した画像データＤの読み出し処理の場合とは異なり、図１７に示すように、走査線５の各ラインＬ１〜Ｌｘにオフ電圧を印加して各ＴＦＴ８をオフ状態とした状態で、読み出し回路１７に読み出し処理を行わせるようになっている。
【００９２】
具体的には、図１７に示すように、走査線５の各ラインＬ１〜Ｌｘにオフ電圧を印加して各ＴＦＴ８をオフ状態とした状態で、制御手段２２から各読み出し回路１７の相関二重サンプリング回路１９（図７や図８のＣＤＳ参照）にパルス信号Ｓｐ１、Ｓｐ２を送信する。相関二重サンプリング回路１９は、制御手段２２からパルス信号Ｓｐ１が送信されると、その時点で増幅回路１８から出力されている電圧値Ｖinを保持する。
【００９３】
そして、増幅回路１８のコンデンサー１８ｂに各ＴＦＴ８を介して各放射線検出素子７からリークする電荷ｑが蓄積されて増幅回路１８から出力される電圧値が上昇し、制御手段２２からパルス信号Ｓｐ２が送信されると、相関二重サンプリング回路１９は、その時点で増幅回路１８から出力されている電圧値Ｖfiを保持する。
【００９４】
そして、相関二重サンプリング回路１９が電圧値の差分Ｖfi−Ｖinを算出して出力した値が、リークデータｄleakとなる。リークデータｄleakが、その後、Ａ／Ｄ変換器２０でデジタル値に変換されること等は、前述した画像データＤの読み出し処理の場合と同様である。このようにして、リークデータｄleakの読み出し処理が行われるようになっている。
【００９５】
しかし、リークデータｄleakの読み出し処理のみを繰り返し行うように構成すると、各ＴＦＴ８がオフ状態のままとなり、各放射線検出素子７内で発生した暗電荷が各放射線検出素子７内に蓄積され続ける状態になる。
【００９６】
そのため、この検出手法１では、図１８に示すように、各走査線５にオフ電圧を印加した状態で行うリークデータｄleakの読み出し処理と、走査線５の各ラインＬ１〜Ｌｘにオン電圧を順次印加して行う各放射線検出素子７のリセット処理とを交互に行うように構成することが望ましい。なお、図１８や後述する図１９等のＴやτについては後で説明する。
【００９７】
上記のように放射線画像撮影前にリークデータｄleakの読み出し処理と各放射線検出素子７のリセット処理とを交互に行うように構成した場合、前述した放射線源５２（図１１や図１２参照）から放射線画像撮影装置１に対して放射線の照射が開始されると、シンチレーター３で放射線から変換された電磁波が、各ＴＦＴ８に照射される。
【００９８】
そして、このようにして電磁波が各ＴＦＴ８に照射されると、それにより、各ＴＦＴ８を介して各放射線検出素子７からリークする電荷ｑ（図８参照）がそれぞれ増加する。そのため、例えば図１９に示すように、放射線画像撮影前にリークデータｄleakの読み出し処理と各放射線検出素子７のリセット処理とを交互に行う場合、図２０に示すように、放射線画像撮影装置１に対する放射線の照射が開始された時点で読み出されたリークデータｄleakが、それ以前に読み出されたリークデータｄleakよりも格段に大きな値になる。
【００９９】
なお、図１９で走査線５のラインＬ４にオン電圧が印加されてリセット処理が行われた後の４回目の読み出し処理で読み出されたリークデータｄleakが、図２０の時刻ｔ１におけるリークデータｄleakに対応する。また、図１９において、「Ｒ」は各放射線検出素子７のリセット処理を表し、「Ｌ」はリークデータｄleakの読み出し処理を表す。
【０１００】
そこで、放射線画像撮影装置１の制御手段２２で、放射線画像撮影前のリークデータｄleakの読み出し処理で読み出されたリークデータｄleakを監視するように構成し、読み出されたリークデータｄleakが、例えば予め設定された所定の閾値ｄleak_th（図２０参照）を越えた時点で、放射線の照射が開始されたことを検出するように構成することができる。
【０１０１】
［検出手法２］
また、上記の検出手法１のように、放射線画像撮影前にリークデータｄleakの読み出し処理を行うように構成する代わりに、放射線画像撮影前に、図２１に示すように、走査駆動手段１５のゲートドライバー１５ｂから走査線５の各ラインＬ１〜Ｌｘにオン電圧を順次印加して、各放射線検出素子７から照射開始検出用の画像データｄの読み出し処理を行うように構成することも可能である。
【０１０２】
この場合、照射開始検出用の画像データｄの読み出し処理における読み出し回路１７の増幅回路１８の電荷リセット用スイッチ１８ｃのオン／オフや、相関二重サンプリング回路１９へのパルス信号Ｓｐ１、Ｓｐ２の送信等は、図２２に示すように、画像データＤの読み出し処理における処理（図１０参照）と同様に行われる。なお、図２２等におけるΔＴについては後で説明する。
【０１０３】
上記のように放射線画像撮影前に画像データｄの読み出し処理を行うように構成した場合、図２３に示すように、放射線画像撮影装置１に対する放射線の照射が開始されると、その時点で読み出された画像データｄ（図２３では走査線５のラインＬｎにオン電圧が印加されて読み出された画像データｄ）が、前述した図２０に示したリークデータｄleakの場合と同様に、それ以前に読み出された画像データｄよりも格段に大きな値になる。
【０１０４】
そこで、放射線画像撮影装置１の制御手段２２で、放射線画像撮影前の読み出し処理で読み出された画像データｄを監視するように構成し、読み出された画像データｄが予め設定された所定の閾値ｄthを越えた時点で、放射線の照射が開始されたことを検出するように構成することができる。
【０１０５】
なお、上記の検出手法１や検出手法２において、リークデータｄleakや画像データｄの読み出し感度を向上させるために、リークデータｄleakの各読み出し処理や画像データｄ
の各読み出し処理の周期τ（図１８や図１９、図２３参照）や、パルス信号Ｓｐ１、Ｓｐ２の送信間隔Ｔ（図１８や図１９参照）、或いはＴＦＴ８にオン電圧を印加する時間ΔＴ（図２２や図２３参照）を長くするように構成することも可能である。
【０１０６】
また、上記の検出手法１や検出手法２の場合も、図１９や図２３に示すように、放射線画像撮影装置１の制御手段２２は、上記のようにして放射線の照射が開始されたことを検出すると、その時点で各走査線５へのオン電圧の印加を停止して、ゲートドライバー１５ｂから走査線５の各ラインＬ１〜Ｌｘにオフ電圧を印加させ、各ＴＦＴ８をオフ状態にして、放射線の照射により各放射線検出素子７内で発生した電荷を各放射線検出素子７内に蓄積させる電荷蓄積状態に移行させるようになっている。
【０１０７】
そして、放射線の照射開始を検出してから所定時間が経過し、放射線の照射が終了した後、制御手段２２は、例えば検出手法１の場合には、放射線画像撮影前のリークデータｄleakの読み出し処理で放射線の照射が開始されたことを検出した時点の直前のリセット処理でオン電圧が印加された走査線５（図１９の場合は走査線５のラインＬ４）の次にオン電圧を印加すべき走査線５（図１９の場合は走査線５のラインＬ５）からオン電圧の印加を開始し、各走査線５にオン電圧を順次印加させて、本画像としての画像データＤの読み出し処理を行うようになっている。
【０１０８】
なお、検出手法２の場合も同様であるが、画像データＤの読み出し処理を、走査線５の最初のラインＬ１からオン電圧の印加を開始し、各走査線５にオン電圧順次印加させて行うように構成することも可能である。
【０１０９】
［放射線技師が介在して撮影を行う場合］
また、放射線画像撮影装置１と放射線発生装置５５とが信号のやり取りを行うことができない、或いは信号のやり取りを行わない非連携方式の場合、上記のように放射線画像撮影装置１自体で放射線の照射開始を検出するように構成される場合もあるが、放射線技師が介在して放射線画像撮影を行うように構成される場合もある。
【０１１０】
この場合、例えば、以下のようにして放射線画像撮影を行うように構成される。
【０１１１】
すなわち、例えば、放射線画像撮影装置１は、放射線画像撮影前に、図１３に示した各放射線検出素子７のリセット処理すなわち１面分のリセット処理Ｒｍを予め設定された所定の回数だけ行う。そして、ゲートドライバー１５ｂから走査線５の各ラインＬ１〜Ｌｘにオフ電圧を印加させ、各ＴＦＴ８をオフ状態にして、放射線の照射により各放射線検出素子７内で発生する電荷を各放射線検出素子７内に蓄積させる電荷蓄積状態に移行させる。
【０１１２】
そして、このようにして放射線源５２（図１１や図１２参照）からの放射線の照射を許容する状態になった時点で、例えばインジケーター４０（図１参照）に所定の色を点灯させる等して作動させて、放射線技師に、放射線源５２からの放射線の照射を許容する状態になったことを報知する。この場合、インジケーター４０が、放射線源５２からの放射線の照射を許容する状態になったことを表す報知手段として機能する。
【０１１３】
放射線技師は、報知手段であるインジケーター４０に所定の色が点灯される等したことを確認すると、放射線発生装置５５の曝射スイッチ５６（図１１や図１２参照）を操作して、放射線源５２から放射線を照射させる。
【０１１４】
この場合、放射線源５２からの放射線の照射時間はごく短時間であるが、放射線画像撮影装置１自体では、どのタイミングで放射線が照射されるかは分からない。そのため、放
射線の照射が開始されてから終了するまでの間、電荷蓄積状態が継続されるようにするために、電荷蓄積状態を例えば１０秒間等の比較的長い時間継続するように構成される。
【０１１５】
そして、図１５に示した場合と同様に、放射線画像撮影装置１の制御手段２２は、上記のように、所定時間の間、電荷蓄積状態を継続した後、走査線５の各ラインＬ１〜Ｌｘにオン電圧を順次印加して、各放射線検出素子７から画像データＤをそれぞれ読み出すように構成される。なお、以下、このように放射線技師が介在して撮影を行う撮影方式を、単に技師介在方式という。
【０１１６】
本発明は、上記の連携方式の場合や、非連携方式において放射線画像撮影装置１自体で放射線の照射開始を検出する場合（上記の検出手法１、２参照）や技師介在方式の場合等のいずれの場合においても適用することができる。
【０１１７】
また、上記の連携方式や技師介在方式における放射線画像撮影前の各放射線検出素子７のリセット処理や、非連携方式の検出手法１におけるリークデータｄleakの読み出し処理（および各放射線検出素子７のリセット処理）や検出手法２における照射開始検出用の画像データｄの読み出し処理を、放射線画像撮影装置１の電源投入直後から行うように構成してもよく、また、放射線技師等による放射線画像撮影装置１に対する開始操作や、コンソール５８からの開始信号の送信等をトリガーとして開始するように構成することも可能である。
【０１１８】
［画像データＤの読み出し処理後の各処理について］
［間引きデータの送信］
上記の連携方式および非連携方式（技師介在方式を含む。）のいずれの場合においても、上記のようにして本画像としての画像データＤの読み出し処理を終了すると、本実施形態では、図２４に示すように、放射線画像撮影装置１の制御手段２２は、読み出した画像データＤの中から所定の割合でデータを間引いた間引きデータＤｔをコンソール５８に送信するようになっている。
【０１１９】
すなわち、放射線画像撮影装置１の制御手段２２は、例えば図２５に示すように検出部Ｐ（図４や図７参照）のｎ行、ｍ列目の放射線検出素子７（ｎ，ｍ）から読み出された画像データＤをＤ（ｎ，ｍ）で表すとすると、読み出した画像データＤ（ｎ，ｍ）の中から、例えば図中に斜線を付して示すように予め所定本数（図２５の場合は４本）の走査線５の各ラインＬ１〜Ｌｘごとに１本の割合で指定された走査線５に接続されている各放射線検出素子７から読み出された画像データＤ（ｎ，ｍ）を抽出して、間引きデータＤｔとする。
【０１２０】
そして、制御手段２２は、このようにして抽出した間引きデータＤｔを、プレビュー画像用のデータとしてコンソール５８に送信するようになっている。なお、間引きデータＤｔや、後述するように画像データＤ等をコンソール５８に送信する際には、間引きデータＤｔ等は圧縮されて送信される。
【０１２１】
［プレビュー画像の生成、表示］
また、コンソール５８は、上記のように放射線画像撮影装置１から間引きデータＤｔが送信されてくると、間引きデータＤｔが圧縮されている場合には適宜伸長して元の間引きデータＤｔを復元した後、それに基づいてプレビュー画像ｐ_preを生成し、生成したプレビュー画像ｐ_preを表示部５８ａ上に表示させるようになっている。
【０１２２】
なお、間引きデータＤｔには、下記のように、暗電荷に起因するオフセット分が重畳されている。そのため、プレビュー画像ｐ_preの生成のために、間引きデータＤｔからオフ
セット分を減算することが必要となるが、図２４に示すように、間引きデータＤｔがコンソール５８に送信された時点では、上記のオフセット分に相当する当該撮影におけるオフセットデータＯはコンソール５８には送信されていない。
【０１２３】
そこで、間引きデータＤｔから減算する上記のオフセット分として、例えば特許文献４に記載されているように、前回の撮影で得られたオフセットデータＯを用いるように構成することが可能である。また、例えば、プレビュー画像ｐ_pre生成用のオフセット分を、予めコンソール５８で各放射線検出素子７ごとに用意しておくように構成することも可能である。
【０１２４】
そして、プレビュー画像ｐ_preの生成処理においては、コンソール５８は、間引きデータＤｔから上記のオフセット分を減算した値を対数変換する等の簡易な処理を施した後、速やかに生成したプレビュー画像ｐ_preを表示部５８ａ上に表示するようになっている。
【０１２５】
［オフセットデータの読み出し処理］
そして、表示されたプレビュー画像ｐ_preを見た放射線技師が、画像中に被写体が適切に撮影されており、再撮影は不要であると判断し、入力手段を介してコンソール５８に対して当該プレビュー画像ｐ_preを承認する操作を行った場合（或いはプレビュー画像ｐ_preが表示されてから所定時間内に放射線技師によりプレビュー画像ｐ_preを否認する操作が行われない場合。以下同じ。）には、放射線画像撮影装置１は、図２４に示すように、続いてオフセットデータＯの読み出し処理を行うようになっている。
【０１２６】
このオフセットデータＯの読み出し処理は、前述したように、画像データＤに重畳されている暗電荷に起因するオフセット分を、各放射線検出素子７ごとにオフセットデータＯとして読み出す処理である。そして、オフセットデータＯの読み出し処理は、例えば上記の連携方式の場合には、図２６に示すように、画像データＤの読み出し処理後に、図１５に示した画像データＤの読み出し処理までの処理シーケンスと同じ処理シーケンスを繰り返して行われることが好ましい。
【０１２７】
すなわち、放射線画像撮影前のリセット処理から、電荷蓄積状態への移行を経て、画像データＤの読み出し処理が行われるまでの処理シーケンス（すなわちゲートドライバー１５ｂから各走査線５へのオン電圧の印加や各読み出し回路１７での読み出し動作等）と同じ処理シーケンスで、オフセットデータＯの読み出し処理を行うことが望ましい。
【０１２８】
なお、この場合、オフセットデータＯは、上記のように暗電荷に起因するデータのみを読み出す処理であるため、放射線画像撮影装置１に放射線が照射されない状態で行われる。
【０１２９】
また、上記の非連携方式において上記の検出手法１や検出手法２を採用する場合も同様に、オフセットデータＯの読み出し処理を、図１９や図２３に示した画像データＤの読み出し処理までの処理シーケンスと同じ処理シーケンスを繰り返して行われることが好ましい。さらに、上記の非連携方式における技師介在方式においても同様に、画像データＤの読み出し処理までの処理シーケンスと同じ処理シーケンスを繰り返して行われることが好ましい。
【０１３０】
画像データＤに重畳されている暗電荷に起因するオフセット分や、オフセットデータＯは、電荷蓄積状態への移行前にＴＦＴ８がオフ状態とされてから画像データＤやオフセットデータＯの読み出し処理でＴＦＴ８にオン電圧が印加されるまでの時間（以下、実効蓄積時間という。）が同じ時間であれば、同じ値が読み出される。
【０１３１】
また、実効蓄積時間が変わると、オフセット分やオフセットデータＯは実効蓄積時間に依存して変動する。そして、本発明者らの研究では、その際、オフセット分やオフセットデータＯの大きさと実効蓄積時間との関係が必ずしも線形の関係にはならないことが分かっている。
【０１３２】
しかし、上記のように、オフセットデータＯの読み出し処理を、画像データＤの読み出し処理までの処理シーケンスと同じ処理シーケンスを繰り返して行うように構成すると、走査線５の各ラインＬ１〜Ｌｘごとに、画像データＤの読み出し処理における実効蓄積時間と、オフセットデータＯの読み出し処理における実効蓄積時間が同じになる。
【０１３３】
そのため、画像データＤに重畳されている暗電荷に起因するオフセット分と、オフセットデータＯとが同じ値になる。そのため、後の画像処理で、画像データＤからオフセットデータＯを減算するように構成すれば、画像データＤに重畳されている暗電荷に起因するオフセット分とオフセットデータＯとが的確に相殺され、放射線の照射により各放射線検出素子７内で発生した電荷のみに起因する真の画像データＤ＊を算出することが可能となる。そのため、上記のように構成することが好ましい。
【０１３４】
なお、非連携方式で上記の検出手法１を採用する場合、画像データＤの読み出し処理後、オフセットデータＯの読み出し処理前に、リークデータｄleakの読み出し処理を行わずに各放射線検出素子７のリセット処理のみを行うように構成することも可能である。
【０１３５】
また、非連携方式で上記の検出手法２を採用する場合、画像データＤの読み出し処理後、オフセットデータＯの読み出し処理前に、照射開始検出用の画像データｄの読み出し処理の代わりに各放射線検出素子７のリセット処理を行うように構成することも可能である。
【０１３６】
オフセットデータＯの読み出し処理では、上記のように放射線は照射されず、放射線の照射開始を検出する必要がないためである。
【０１３７】
一方、上記のように構成する場合でも、各放射線検出素子７のリセット処理のみを行う場合（検出手法１の場合）や照射開始検出用の画像データｄの読み出し処理に代えて各放射線検出素子７のリセット処理を行う場合（検出手法２の場合）には、オフセットデータＯの読み出し処理前に、画像データＤの読み出し処理前の周期τ（図１９や図２３参照）と同じ周期τで走査線５の各ラインＬ１〜Ｌｘにオン電圧がそれぞれ印加されるように構成されることが望ましい。
【０１３８】
このように構成すれば、走査線５の各ラインＬ１〜Ｌｘごとに、画像データＤの読み出し処理の際の実効蓄積時間と、オフセットデータＯの読み出し処理の際の実効蓄積時間とが同じ時間になるためである。
【０１３９】
［残りの画像データ等の送信および放射線画像の生成］
本実施形態では、上記のオフセットデータＯの読み出し処理が終了すると、放射線画像撮影装置１の制御手段２２は、図２４に示すように、上記の間引きデータＤｔ以外の残りの画像データＤとオフセットデータＯをコンソール５８に送信する。
【０１４０】
そして、コンソール５８は、放射線画像撮影装置１から残りの画像データＤとオフセットデータＯが送信されてくると、上記のように、各放射線検出素子７ごとに画像データＤからオフセットデータＯを減算して真の画像データＤ＊を算出する。そして、算出した真の画像データＤ＊に対してゲイン補正やオフセット補正、欠陥画素補正、撮影部位に応じた諧調処理等の画像処理を行って、最終的な放射線画像ｐを生成するようになっている。
【０１４１】
コンソール５８は、放射線画像ｐを生成すると、それを記憶手段５９に保存するようになっている。また、生成された放射線画像ｐは、必要に応じて表示部５８ａに表示されたり、システム内或いはシステム外の画像表示装置や他のシステムに転送される等の処理が適宜行われる。
【０１４２】
［プレビュー画像が否認された場合の処理］
ところで、以上の各処理は、上記のように、コンソール５８の表示部５８ａ上に表示されたプレビュー画像ｐ_preを見た放射線技師が、再撮影は不要であると判断し、入力手段を介してコンソール５８に対して当該プレビュー画像ｐ_preを承認する旨の操作を行った場合に行われる。
【０１４３】
このように、本実施形態では、プレビュー画像ｐ_preを見た放射線技師が再撮影は不要であると判断した場合（すなわち当該プレビュー画像ｐ_preを承認する旨の操作を行う等した場合）には、図２４に示したように、放射線画像撮影装置１では、上記のオフセットデータＯの読み出し処理や残りの画像データＤ等の送信等が、また、コンソール５８では画像データＤ等に基づく放射線画像ｐの生成処理が、それぞれ自動的に行われるようになっている。
【０１４４】
一方、プレビュー画像ｐ_preに、何らかの原因で被写体が撮影されていなかったり被写体が画像中の適切な位置に撮影されていないような場合には、放射線技師は、再撮影が必要であると判断する。
【０１４５】
しかし、このような場合でも、上記のように、間引きデータＤｔの送信後、自動的にオフセットデータＯの読み出し処理や残りの画像データＤ等の送信等が行われるように構成すると、放射線技師が、それらの一連の処理（具体的には図２４の右端に示した残りの画像データＤ等の送信処理）が終了するまで再撮影を行うことができず、不便に感じられること等の問題が生じ得ることは前述した通りである。
【０１４６】
すなわち、例えば、前述した技師介在方式で撮影を行う場合、前述したように、放射線画像撮影装置１自体ではどのようなタイミングで放射線が照射されるか分からないため、電荷蓄積状態が、例えば１０秒間等の比較的長い時間継続するように構成される。そして、上記のように、オフセットデータＯの読み出し処理を、画像データＤの読み出し処理までの処理シーケンスと同じ処理シーケンスを繰り返して行うように構成すると、オフセットデータＯの読み出し処理における電荷蓄積状態も例えば１０秒間等の比較的長い時間継続される。
【０１４７】
そのため、上記のように、間引きデータＤｔの送信後、自動的にオフセットデータＯの読み出し処理等の一連の処理を行うように構成すると、放射線技師がプレビュー画像ｐ_preを否認しても、その後、少なくとも１０秒程度は再撮影を行えないことになり、放射線画像撮影システムが放射線技師にとって使い勝手が悪いものとなる等の問題が生じ得る。
【０１４８】
そこで、本実施形態に係る放射線画像撮影装置１や放射線画像撮影システム５０は、このような問題が生じることを防止するために、以下のように構成されている。なお、以下では、本実施形態に係る放射線画像撮影装置１や放射線画像撮影システム５０の作用についてもあわせて説明する。
【０１４９】
本実施形態では、コンソール５８は、表示部５８ａ上に表示されたプレビュー画像ｐ_preを見た放射線技師がマウス等の入力手段を介して当該プレビュー画像ｐ_preを否認する旨の操作（具体的には表示部５８ａ上に表示された図示しない「ＮＧ」ボタンをクリック
する等の操作）を行った場合には、図２７に示すように、放射線画像撮影装置１に対して一連の処理を停止することを指示する停止信号を送信するようになっている。
【０１５０】
そして、放射線画像撮影装置１の制御手段２２は、コンソール５８から上記の停止信号を受信すると、その時点で行っている一連の処理を停止するようになっている。
【０１５１】
すなわち、制御手段２２は、その時点で行っている各放射線検出素子７のリセット処理等や、電荷蓄積状態における各走査線５へのオフ電圧の印加処理を行っている場合にはそれらの処理を停止する。また、オフセットデータＯの読み出し処理を行っている場合には読み出し処理を停止し、或いは、既に残りの画像データＤ等の送信処理を行っている場合には送信処理を停止する。
【０１５２】
なお、コンソール５８は、停止信号を送信した時点で、既に放射線画像撮影装置１から残りの画像データＤ等の送信を受けている場合には、それまでに受信した当該撮影に関する上記の残りの画像データＤ等を、記憶手段５９から削除するようになっている。
【０１５３】
また、停止信号を送信した時点で、既に放射線画像撮影装置１から全ての放射線検出素子７のオフセットデータＯを受信している場合には、当該オフセットデータＯは、前述したように放射線が照射されない各放射線検出素子７内で発生する暗電荷のみに起因するデータであるため、図２７に示したようにその後に送信されてくるプレビュー画像用の間引きデータＤｔから減算するためのオフセット分として使うことができる。
【０１５４】
そこで、停止信号を送信した時点で、既に放射線画像撮影装置１から全ての放射線検出素子７のオフセットデータＯを受信している場合には、コンソール５８で当該オフセットデータＯを保存しておき、その後に送信されてくる間引きデータＤｔに基づくプレビュー画像ｐ_preの生成処理に用いるように構成することも可能である。
【０１５５】
一方、放射線画像撮影装置１の制御手段２２は、コンソール５８から停止信号を受信してその時点で行っている一連の処理を停止すると、走査駆動手段１５を含む各機能部の作動状態を、放射線画像撮影前の作動状態に戻すようになっている。
【０１５６】
すなわち、上記の連携方式や技師介在方式の場合には、制御手段２２は、停止信号を受信すると一連の処理を停止して、放射線画像撮影前の各放射線検出素子７のリセット処理を行わせる状態（図１３や図１５等参照）に戻す。
【０１５７】
また、上記の非連携方式において検出手法１を採用する場合には、制御手段２２は、停止信号を受信すると一連の処理を停止して、放射線画像撮影前のリークデータｄleakの読み出し処理と各放射線検出素子７のリセット処理とを交互に行わせる状態（図１８や図１９等参照）に戻す。
【０１５８】
さらに、上記の非連携方式において検出手法２を採用する場合には、制御手段２２は、停止信号を受信すると一連の処理を停止して、放射線画像撮影前の照射開始検出用の画像データｄの読み出し処理を行わせる状態（図２１や図２３等参照）に戻すようになっている。
【０１５９】
このように構成すると、最初の撮影後にコンソール５８の表示部５８ａ上に表示されたプレビュー画像ｐ_preを見た放射線技師が、再撮影が必要であると判断し、入力手段を介してコンソール５８に対して当該プレビュー画像ｐ_preを否認する操作を行った場合、コンソール５８から放射線画像撮影装置１に対して停止信号が即座に送信される。そして、放射線画像撮影装置１の制御手段２２は、その時点で行っている一連の処理を即座に停止
して、走査駆動手段１５を含む各機能部の作動状態を、放射線画像撮影前の作動状態に戻す。
【０１６０】
そして、図２７に示したように、放射線画像撮影装置１は、放射線技師がプレビュー画像ｐ_preを否認すると速やかに放射線画像撮影前の作動状態に戻り、放射線源５２（図１１や図１２参照）からの放射線の照射を許容できる状態になる。
【０１６１】
そのため、プレビュー画像ｐ_preを否認した放射線技師は、上記のように放射線画像撮影装置１がオフセットデータＯの読み出し処理や残りの画像データＤ等の送信処理等の一連の処理を終了するまで待つ必要がなく、図２７に示したように、速やかに曝射スイッチ５６（図１１や図１２参照）を操作して放射線画像撮影装置１に放射線を照射させて、再撮影を行うことが可能となる。
【０１６２】
また、本実施形態のように、放射線画像撮影装置１がバッテリー２４（図７等参照）を内蔵する装置である場合、不必要なオフセットデータＯの読み出し処理を行ったり、送信しても意味がない画像データＤやオフセットデータＯを送信する等の不必要な処理を行うことがなくなるため、バッテリー２４の電力が無駄に消費されることを的確に防止することが可能となる。
【０１６３】
なお、放射線技師によりプレビュー画像ｐ_preが否認されると、先の放射線画像撮影（すなわち再撮影前の放射線画像撮影）で読み出された画像データＤ等は不要になる。そのため、上記の停止信号が送信されてきた場合、放射線画像撮影装置１で、先の撮影で読み出され記憶手段２３（図７等参照）中に保存されている画像データＤ等を、記憶手段２３中から削除するように構成することも可能である。
【０１６４】
また、画像データＤ等を記憶手段２３中から削除するために電力が消費されることを防止するために、例えば不要になった画像データＤ等を記憶手段２３中に保存したままとし、再撮影で読み出された画像データＤ等を当該不要となった画像データＤ等に上書きするようにして保存するように構成することも可能である。
【０１６５】
以上のように、本実施形態に係る放射線画像撮影システム５０や放射線画像撮影装置１によれば、放射線技師によりコンソール５８の表示部５８ａ上に表示されたプレビュー画像ｐ_preを否認する旨の操作が行われた場合には、停止信号がコンソール５８から放射線画像撮影装置１に即座に送信される。そして、放射線画像撮影装置１の制御手段２２は、停止信号を受信すると、その時点で行っている一連の処理を即座に停止して、走査駆動手段１５を含む各機能部の作動状態を放射線画像撮影前の作動状態に戻す（図２７参照）。
【０１６６】
このように、放射線画像撮影装置１は、放射線技師がプレビュー画像ｐ_preを否認すると速やかに放射線画像撮影前の作動状態に戻り、放射線の照射を許容できる状態になるため、プレビュー画像ｐ_preを否認した放射線技師は、放射線画像撮影装置１がオフセットデータＯの読み出し処理等の一連の処理を終了するまで待たずに、速やかに放射線を照射させて再撮影を行うことが可能となる。
【０１６７】
そのため、本実施形態に係る放射線画像撮影システム５０が、放射線技師にとって使い勝手が良いものとなる。なお、これは、本実施形態のような可搬型の放射線画像撮影装置１のみならず、例えば図示を省略する支持台等と一体的に形成された専用機型の放射線画像撮影装置１等に対しても言えることである。
【０１６８】
また、本実施形態のように、放射線画像撮影装置１がバッテリー２４を内蔵する装置である場合、不必要なオフセットデータＯの読み出し処理を行ったり、送信しても意味がな
い画像データＤやオフセットデータＯを送信する等の不必要な処理を行うことがなくなるため、バッテリー２４の電力が無駄に消費されることを的確に防止することが可能となる。
【０１６９】
そのため、バッテリー２４の消耗が的確に防止され、バッテリー２４における電力切れを遅延させることが可能となる。そして、その分、バッテリー２４に対する１回の充電あたりの撮影効率を向上させることが可能となる。
【０１７０】
特に、放射線画像撮影システム５０が例えば図１２に示したように回診車７１上に構築されていて、近くにバッテリー２４を充電できるクレードル等の設備がないような場合には、バッテリー２４に対する１回の充電あたりの撮影効率を向上させることが重要な課題となるが、本発明を採用すれば上記のようにバッテリー２４に対する１回の充電あたりの撮影効率を向上させることが可能となるため、このような場合には特に有効な作用効果を奏することが可能となる。
【０１７１】
なお、上記の実施形態では、非連携方式において放射線画像撮影装置１自体で放射線の照射開始を検出する手法として、上記の検出手法１、２のように、走査駆動手段１５や読み出し回路１７等の放射線画像撮影装置１に既設の各機能部を用いて検出する手法について説明した。
【０１７２】
しかし、例えば、放射線画像撮影装置１内に放射線の照射開始を検出するためのセンサーや検出手段を新たに設ける等して、放射線画像撮影装置１自体で放射線の照射開始を検出するように構成することも可能である（例えば米国特許第７２１１８０３号明細書や特開２００９−２１９５３８号公報等参照）。そして、放射線画像撮影装置１がこのように構成されている場合にも、本発明を適用することができる。
【０１７３】
また、本発明が上記の実施形態に限定されず、適宜変更可能であることは言うまでもない。
【符号の説明】
【０１７４】
１  放射線画像撮影装置
５、Ｌ１〜Ｌｘ  走査線
６  信号線
７  放射線画像撮影装置
８  ＴＦＴ（スイッチ手段）
１５  走査駆動手段
１７  読み出し回路
２２  制御手段
２４  バッテリー
３９  コネクター（通信手段）
４０  インジケーター（報知手段）
４１  アンテナ装置（通信手段）
５０  放射線画像撮影システム
５２  放射線源
５５  放射線発生装置
５８  コンソール
５８ａ  表示部
Ｄ  画像データ
ｄ  照射開始検出用の画像データ
ｄleak  リークデータ
ｄleak_th  閾値
Ｄｔ  間引きデータ
ｄth  閾値
Ｏ  オフセットデータ
ｐ  放射線画像
ｐ_pre  プレビュー画像
ｑ  電荷
ｒ  小領域
【図１】
0005866814.tif 000002
【図２】
0005866814.tif 000003
【図３】
0005866814.tif 000004
【図４】
0005866814.tif 000005
【図５】
0005866814.tif 000006
【図６】
0005866814.tif 000007
【図７】
0005866814.tif 000008
【図８】
0005866814.tif 000009
【図９】
0005866814.tif 000010
【図１０】
0005866814.tif 000011
【図１１】
0005866814.tif 000012
【図１２】
0005866814.tif 000013
【図１３】
0005866814.tif 000014
【図１４】
0005866814.tif 000015
【図１５】
0005866814.tif 000016
【図１６】
0005866814.tif 000017
【図１７】
0005866814.tif 000018
【図１８】
0005866814.tif 000019
【図１９】
0005866814.tif 000020
【図２０】
0005866814.tif 000021
【図２１】
0005866814.tif 000022
【図２２】
0005866814.tif 000023
【図２３】
0005866814.tif 000024
【図２４】
0005866814.tif 000025
【図２５】
0005866814.tif 000026
【図２６】
0005866814.tif 000027
【図２７】
0005866814.tif 000028